(57)【要約】【課題】多層基板を採用する等のコストアップを生じさせることなく、かつ隠蔽層を設けずに視認性を向上させる。【解決手段】表示電極用配線１３ａ〜１３ｐが表示電極１１ａ〜１１ｐに向かってくる方向と、背景電極用配線１４ａ〜１４ｚ，１５ａ〜１５ｃが背景電極１２ａ〜１２ｘに向かってくる方向とが、表示電極１１ａ〜１１ｐとそれを取り囲む背景電極１２ａ〜１２ｘとにおいて互いに反対方向となるように構成する。【選択図】図１
2014170102.tif 000002
【特許請求の範囲】
【請求項１】
絶縁層と、前記絶縁層の一方の面上に、表示される情報に応じたパターンで形成された複数の表示電極と、前記絶縁層の前記一方の面上に、前記表示電極を取り囲むように形成された複数の背景電極と、前記絶縁層の前記一方の面上に、前記複数の表示電極にそれぞれ接続されて形成され、前記複数の表示電極のそれぞれに電位を印加するための複数の表示電極用配線と、前記絶縁層の前記一方の面上に、前記複数の背景電極にそれぞれ接続されて形成され、前記複数の背景電極のそれぞれに電位を印加するための複数の背景電極用配線と、前記複数の表示電極及び背景電極に対向して配置され、前記複数の表示電極及び背景電極に印加された電位に応じた色を表示する情報表示手段とを有してなる情報表示装置において、
前記背景電極用配線は、当該背景電極用配線に接続された背景電極が取り囲む表示電極に接続された表示電極用配線が当該表示電極に向かってくる方向とは反対方向から当該背景電極に向かって形成されていることを特徴とする情報表示装置。
【請求項２】
請求項１に記載の情報表示装置において、
前記複数の表示電極用配線は、前記表示電極及び背景電極によって情報が表示される表示領域の外側から前記複数の表示電極に向かって形成され、
前記複数の背景電極用配線は、前記表示領域の中央部分から分岐して前記複数の背景電極に向かって形成されている情報表示装置。
【発明の詳細な説明】
【技術分野】
【０００１】
本発明は、印加された電位に応じて情報を表示する情報表示装置に関し、特に、視認性を向上させる技術に関する。
【背景技術】
【０００２】
従来より、情報を表示する表示装置として、ＣＲＴディスプレイや液晶ディスプレイ、プラズマディスプレイ等が用いられており、これらは、テレビ受像機に用いられることによりテレビ局から送信されたテレビ映像を表示したり、パソコンのディスプレイとして用いられることにより、パソコンに保存された情報やインターネットを介して配信された情報を表示したりすることができる。
【０００３】
近年、上述したような表示装置に加えて、デジタル情報を紙のように薄い表示媒体に表示する電子ペーパーが普及しはじめている。電子ペーパーは、絶縁性基板上に、表示する情報に応じたパターンで複数の表示電極を形成するとともに、印加された電位によってその色が変化する情報表示手段を表示電極に対向するように配置し、表示電極を介して情報表示手段に電位を印加することによって情報を表示するものである（例えば、特許文献１参照）。
【０００４】
このような電子ペーパーにおいては、情報の視認性を向上させるための様々な工夫が行われている。例えば、表示電極の平滑性を向上させることにより、情報の視認性を向上させるための技術が考えられている（例えば、特許文献２−４参照）。また、表示電極に対向しない領域に隠蔽層を設けることにより、視認性を向上させる技術も考えられている（例えば、特許文献５参照）。
【０００５】
このように隠蔽層を設ける場合、隠蔽層の色を、情報表示手段にて情報が表示されない状態の色とすることにより、情報表示手段の色を背景として情報を表示することができる。
【先行技術文献】
【特許文献】
【０００６】
【特許文献１】特開平１０−６９２４１号公報
【特許文献２】特許第５０６９４５１号公報
【特許文献３】特許第５０６９４５０号公報
【特許文献４】特許第５０８７３７４号公報
【特許文献５】特開２０１０−１４５７２５号公報
【発明の概要】
【発明が解決しようとする課題】
【０００７】
ところが、隠蔽層を設けるものにおいては、細かな文字やアルファベットを表示するために１６セグメントのように表示電極を細かく分割した場合等において、表示電極と隠蔽層との位置合わせが困難となり、これらの位置が正しく合っていないことによって視認性が低下してしまう虞れがある。また、隠蔽層の色を情報表示手段の色と全く同じにすることは困難であり、この色の差によっても視認性が低下してしまう虞れがある。
【０００８】
そこで、隠蔽層を設けずに表示電極の周囲に背景電極を形成し、これら表示電極と背景電極とに電位を印加し、情報表示手段において表示電極に対向する領域と背景電極に対向する領域とのそれぞれにて印加された電位に応じた色を表示することにより、情報の視認性を向上させることが考えられる。しかしながら、その場合、表示電極と背景電極のそれぞれには、電位を印加するための配線を接続する必要があり、特に上述したように表示電極を細かく分割した場合等においては、表示電極に電位を印加するための配線と、背景電極に電位を印加するための配線とが交差することとなり、多層基板を採用する等、コストアップが生じてしまうという問題点がある。
【０００９】
本発明は、上述したような従来の技術が有する問題点に鑑みてなされたものであって、多層基板を採用する等のコストアップを生じさせることなく、かつ隠蔽層を設けずに視認性を向上させることができる情報表示装置を提供することを目的とする。
【課題を解決するための手段】
【００１０】
上記目的を達成するために本発明は、
絶縁層と、前記絶縁層の一方の面上に、表示される情報に応じたパターンで形成された複数の表示電極と、前記絶縁層の前記一方の面上に、前記表示電極を取り囲むように形成された複数の背景電極と、前記絶縁層の前記一方の面上に、前記複数の表示電極にそれぞれ接続されて形成され、前記複数の表示電極のそれぞれに電位を印加するための複数の表示電極用配線と、前記絶縁層の前記一方の面上に、前記複数の背景電極にそれぞれ接続されて形成され、前記複数の背景電極のそれぞれに電位を印加するための複数の背景電極用配線と、前記複数の表示電極及び背景電極に対向して配置され、前記複数の表示電極及び背景電極に印加された電位に応じた色を表示する情報表示手段とを有してなる情報表示装置において、
前記背景電極用配線は、当該背景電極用配線に接続された背景電極が取り囲む表示電極に接続された表示電極用配線が当該表示電極に向かってくる方向とは反対方向から当該背景電極に向かって形成されていることを特徴とする。
【００１１】
上記のように構成された本発明においては、絶縁層の一方の面に、表示される情報に応じたパターンで複数の表示電極が形成されるとともに、表示電極を取り囲むように複数の背景電極が形成されており、これら複数の表示電極及び背景電極に対向して配置された情報表示手段において、複数の表示電極及び背景電極に印加された電位に応じた色が表示されることになる。絶縁層の表示電極及び背景電極が形成された面には、複数の表示電極のそれぞれに電位を印加するための複数の表示電極用配線が複数の表示電極に接続されて形成されているとともに、複数の背景電極のそれぞれに電位を印加するための複数の背景電極用配線が複数の背景電極に接続されて形成されているが、背景電極用配線は、この背景電極用配線に接続された背景電極が取り囲む表示電極に接続された表示電極用配線がその表示電極に向かってくる方向とは反対方向からその背景電極に向かって形成されている。
【００１２】
このように、表示電極用配線が表示電極に向かってくる方向と、背景電極用配線が背景電極に向かってくる方向とを、表示電極とそれを取り囲む背景電極とにおいて互いに反対方向とすることにより、表示電極用配線と背景電極用配線とが交差せずに形成されている。それにより、多層基板を採用する必要がなく、隠蔽層を設けずに視認性を向上させることができる。
【００１３】
このような構成を実現する具体的なものとしては、複数の表示電極用配線を、表示電極及び背景電極によって情報が表示される表示領域の外側から複数の表示電極に向かって形成し、複数の背景電極用配線を、表示領域の中央部分から分岐して複数の背景電極に向かって形成することが考えられる。
【発明の効果】
【００１４】
本発明によれば、表示電極用配線が表示電極に向かってくる方向と、背景電極用配線が背景電極に向かってくる方向とが、表示電極とそれを取り囲む背景電極とにおいて互いに反対方向となるように構成されていることにより、表示電極用配線と背景電極用配線とが交差せずに形成され、多層基板を採用してスルーホールを形成したりレジスト層を塗布したりする必要がない。そのため、細かな位置合わせが必要となる隠蔽層を設ける等の別加工を施すことなく、絶縁層上に、表示電極、背景電極、表示電極用配線及び背景電極用配線を一度に形成することにより、低コストで視認性を向上させることができる。
【図面の簡単な説明】
【００１５】
【図１】本発明の情報表示装置に用いられる配線電極基板の実施の一形態を示す図であり、（ａ）は表面から見た図、（ｂ）は（ａ）に示したＡ−Ａ’断面図、（ｃ）は（ａ）に示したＢ−Ｂ’断面図である。
【図２】図１に示した配線電極基板を用いた情報表示装置の構成例を示す断面図である。
【図３】図２に示した情報表示装置の動作を説明するための図であり、（ａ）は全体の表示状態を示す図、（ｂ）は一部の表示電極及び配線電極近傍の拡大図である。
【図４】図２に示した情報表示層における帯電性粒子の移動を示す図である。
【発明を実施するための形態】
【００１６】
以下に、本発明の実施の形態について図面を参照して説明する。
【００１７】
図１は、本発明の情報表示装置に用いられる配線電極基板の実施の一形態を示す図であり、（ａ）は表面から見た図、（ｂ）は（ａ）に示したＡ−Ａ’断面図、（ｃ）は（ａ）に示したＢ−Ｂ’断面図である。
【００１８】
本形態における配線電極基板は図１に示すように、絶縁層２０の一方の面上に、複数の表示電極１１ａ〜１１ｐと、複数の背景電極１２ａ〜１２ｘと、複数の表示電極用配線１３ａ〜１３ｐと、複数の背景電極用配線１４ａ〜１４ｚ，１５ａ〜１５ｃとが形成されて構成されている。
【００１９】
表示電極１１ａ〜１１ｐは、絶縁層２０の一方の面上に、情報表示装置にて表示される情報に応じたパターンで形成されている。本形態においては、この表示電極１１ａ〜１１ｐを用いてアルファベットや数字を表示するものであって、表示電極１１ａ〜１１ｐによって１６個のセグメントからなる表示部を構成し、表示電極用配線１３ａ〜１３ｐを介して選択的に電位が印加されることにより、情報表示装置において、０〜９，Ａ〜Ｚや、タイ文字数字やペルシャ文字等が表示される。
【００２０】
背景電極１２ａ〜１２ｘは、表示電極１１ａ〜１１ｐの間、及び表示電極１１ａ〜１１ｐによる表示部の枠となる領域に、表示電極１１ａ〜１１ｐに対して一定の間隔を有して形成されている。これにより、背景電極１２ａ〜１２ｘは、表示電極１１ａ〜１１ｐを取り囲むように形成されていることになる。背景電極１２ａ〜１２ｘには、背景電極用配線１４ａ〜１４ｚ，１５ａ〜１５ｃを介して電位が印加される。なお、背景電極１２ａ〜１２ｘの高さは、表示電極１１ａ〜１１ｐと同一となっている。また、隣接する表示電極１１ａ〜１１ｐ及び背景電極１２ａ〜１２ｘ間の間隔１６は、後述する情報表示層にてにじみ領域が生じる幅の略２倍以下となっている。
【００２１】
表示電極用配線１３ａ〜１３ｐは、表示電極１１ａ〜１１ｐに電位を印加するための回路（不図示）にその一端が接続され、表示電極１１ａ〜１１ｐ及び背景電極１２ａ〜１２ｘによって情報表示装置にて情報が表示される表示領域の外側から表示電極１１ａ〜１１ｐに向かって延び、その他端が表示電極１１ａ〜１１ｐにそれぞれ接続されている。なお、表示電極用配線１３ａ〜１３ｐの高さは、表示電極１１ａ〜１１ｐ及び背景電極１２ａ〜１２ｘよりも低くなっている。
【００２２】
背景電極用配線１４ａ〜１４ｚ，１５ａ〜１５ｃは、背景電極１２ａ〜１２ｘを介して順次接続されることにより、背景電極１２ａ〜１２ｘに電位を印加するものであって、表示電極１１ａ〜１１ｐに挟まれた領域においては、例えば２５〜４５μｍの幅となっているとともに、表示電極１１ａ〜１１ｐに対して一定の間隔１７を有して形成されている。すなわち、背景電極１２ａ〜１２ｘは、背景電極用配線１４ａ〜１４ｚ，１５ａ〜１５ｃを介してひとつなぎに接続されている。また、背景電極用配線１４ａ〜１４ｚ，１５ａ〜１５ｃの高さは、表示電極１１ａ〜１１ｐ及び背景電極１２ａ〜１２ｘよりも低くなっている。
【００２３】
ここで、背景電極１２ａ〜１２ｘ及び背景電極用配線１４ａ〜１４ｚ，１５ａ〜１５ｃの形成領域について具体的に説明する。
【００２４】
本形態においては、背景電極用配線１４ａの一端が、背景電極１２ａ〜１２ｘに電位を印加するための回路（不図示）に接続され、他端が、表示電極１１ａに隣接して形成された背景電極１２ａに接続されている。背景電極１２ａの背景電極用配線１４ａとの接続部分とは反対側の領域には背景電極用配線１４ｂの一端が接続されており、背景電極用配線１４ｂは、表示電極１１ａ，１１ｉ間を延び、その他端が、表示電極１１ａ，１１ｉ，１１ｊ間に形成された三角形状を有する背景電極１２ｂの１つの頂点に接続されている。背景電極１２ｂの背景電極用配線１４ｂとの接続部分とは異なる頂点には背景電極用配線１４ｃの一端が接続されており、背景電極用配線１４ｃは、表示電極１１ａ，１１ｂ，１１ｊ間を延び、その他端が、表示電極１１ａに隣接して形成された背景電極１２ｃに接続されている。これにより、表示電極１１ａは、背景電極１２ａ〜１２ｃによって取り囲まれたような状態となっている。背景電極１２ｂの背景電極用配線１４ｂ，１４ｃとの接続部分とは異なる頂点には背景電極用配線１４ｄの一端が接続されており、背景電極用配線１４ｄは、表示電極１１ｉ，１１ｊ間を延び、２つの背景電極用配線１４ｅ，１４ｈに分岐している。背景電極用配線１４ｅは、表示電極１１ｊ，１１ｋ間を延び、その他端が、表示電極１１ｂ，１１ｊ，１１ｋ間に形成された三角形状を有する背景電極１２ｄの１つの頂点に接続されている。これにより、表示電極１１ｊは、背景電極１２ｂ，１２ｄによって取り囲まれたような状態となっている。背景電極１２ｄの背景電極用配線１４ｅとの接続部分とは異なる頂点には背景電極用配線１４ｆの一端が接続されており、背景電極用配線１４ｆは、表示電極１１ａ，１１ｂ，１１ｊ間を延び、その他端が、表示電極１１ｂに隣接して形成された背景電極１２ｅに接続されている。背景電極１２ｄの背景電極用配線１４ｅ，１４ｆとの接続部分とは異なる頂点には背景電極用配線１４ｇの一端が接続されており、背景電極用配線１４ｇは、表示電極１１ｂ，１１ｃ，１１ｋ間を延び、その他端が、表示電極１１ｂに隣接して形成された背景電極１２ｆに接続されている。これにより、表示電極１１ｂは、背景電極１２ｄ〜１２ｆによって取り囲まれたような状態となっている。背景電極用配線１４ｈは、表示電極１１ｉ，１１ｋ間を延び、３つの背景電極用配線１４ｉ，１４ｐ，１４ｗに分岐している。背景電極用配線１４ｉは、表示電極１１ｋ，１１ｍ間を延び、２つの背景電極用配線１４ｊ，１４ｍに分岐している。背景電極用配線１４ｊは、表示電極１１ｋ，１１ｌ間を延び、その他端が、表示電極１１ｃ，１１ｋ，１１ｌ間に形成された三角形状を有する背景電極１２ｇの１つの頂点に接続されている。これにより、表示電極１１ｋは、背景電極１２ｄ，１２ｇによって取り囲まれたような状態となっている。背景電極１２ｇの背景電極用配線１４ｊとの接続部分とは異なる頂点には背景電極用配線１４ｋの一端が接続されており、背景電極用配線１４ｋは、表示電極１１ｂ，１１ｃ，１１ｋ間を延び、その他端が、表示電極１１ｃに隣接して形成された背景電極１２ｈに接続されている。背景電極１２ｇの背景電極用配線１４ｊ，１４ｋとの接続部分とは異なる頂点には背景電極用配線１４ｌの一端が接続されており、背景電極用配線１４ｌは、表示電極１１ｃ，１１ｄ，１１ｌ間を延び、その他端が、表示電極１１ｃに隣接して形成された背景電極１２ｉに接続されている。これにより、表示電極１１ｃは、背景電極１２ｄ，１２ｈ，１２ｉによって取り囲まれたような状態となっている。背景電極用配線１４ｍは、表示電極１１ｌ，１１ｍ間を延び、その他端が、表示電極１１ｄ，１１ｌ，１１ｍ間に形成された三角形状を有する背景電極１２ｊの１つの頂点に接続されている。これにより、表示電極１１ｌは、背景電極１２ｇ，１２ｊによって取り囲まれたような状態となっている。背景電極１２ｊの背景電極用配線１４ｍとの接続部分とは異なる頂点には背景電極用配線１４ｎの一端が接続されており、背景電極用配線１４ｎは、表示電極１１ｃ，１１ｄ，１１ｌ間を延び、その他端が、表示電極１１ｄに隣接して形成された背景電極１２ｋに接続されている。背景電極１２ｊの背景電極用配線１４ｍ，１４ｎとの接続部分とは異なる頂点には背景電極用配線１４ｏの一端が接続されており、背景電極用配線１４ｏは、表示電極１１ｄ，１１ｅ，１１ｍ間を延び、その他端が、表示電極１１ｄに隣接して形成された背景電極１２ｌに接続されている。これにより、表示電極１１ｄは、背景電極１２ｊ〜１２ｌによって取り囲まれたような状態となっている。背景電極用配線１４ｐは、表示電極１１ｍ，１１ｏ間を延び、２つの背景電極用配線１４ｑ，１４ｔに分岐している。背景電極用配線１４ｑは、表示電極１１ｍ，１１ｎ間を延び、その他端が、表示電極１１ｅ，１１ｍ，１１ｎ間に形成された三角形状を有する背景電極１２ｍの１つの頂点に接続されている。これにより、表示電極１１ｍは、背景電極１２ｊ，１２ｍによって取り囲まれたような状態となっている。背景電極１２ｍの背景電極用配線１４ｑとの接続部分とは異なる頂点には背景電極用配線１４ｒの一端が接続されており、背景電極用配線１４ｒは、表示電極１１ｄ，１１ｅ，１１ｍ間を延び、その他端が、表示電極１１ｅに隣接して形成された背景電極１２ｎに接続されている。背景電極１２ｍの背景電極用配線１４ｑ，１４ｒとの接続部分とは異なる頂点には背景電極用配線１４ｓの一端が接続されており、背景電極用配線１４ｓは、表示電極１１ｅ，１１ｆ，１１ｎ間を延び、その他端が、表示電極１１ｅに隣接して形成された背景電極１２ｏに接続されている。これにより、表示電極１１ｅは、背景電極１２ｍ〜１２ｏによって取り囲まれたような状態となっている。背景電極用配線１４ｔは、表示電極１１ｎ，１１ｏ間を延び、その他端が、表示電極１１ｆ，１１ｎ，１１ｏ間に形成された三角形状を有する背景電極１２ｐの１つの頂点に接続されている。これにより、表示電極１１ｎは、背景電極１２ｍ，１２ｐによって取り囲まれたような状態となっている。背景電極１２ｐの背景電極用配線１４ｔとの接続部分とは異なる頂点には背景電極用配線１４ｕの一端が接続されており、背景電極用配線１４ｕは、表示電極１１ｅ，１１ｆ，１１ｎ間を延び、その他端が、表示電極１１ｆに隣接して形成された背景電極１２ｑに接続されている。背景電極１２ｐの背景電極用配線１４ｔ，１４ｕとの接続部分とは異なる頂点には背景電極用配線１４ｖの一端が接続されており、背景電極用配線１４ｖは、表示電極１１ｆ，１１ｇ，１１ｏ間を延び、その他端が、表示電極１１ｆに隣接して形成された背景電極１２ｒに接続されている。これにより、表示電極１１ｆは、背景電極１２ｐ〜１２ｒによって取り囲まれたような状態となっている。背景電極用配線１４ｗは、表示電極１１ｉ，１１ｏ間を延び、２つの背景電極用配線１４ｖ，１５ａに分岐している。背景電極用配線１４ｖは、表示電極１１ｏ，１１ｐ間を延び、その他端が、表示電極１１ｇ，１１ｏ，１１ｐ間に形成された三角形状を有する背景電極１２ｓの１つの頂点に接続されている。これにより、表示電極１１ｏは、背景電極１２ｐ，１２ｓによって取り囲まれたような状態となっている。背景電極１２ｓの背景電極用配線１４ｖとの接続部分とは異なる頂点には背景電極用配線１４ｙの一端が接続されており、背景電極用配線１４ｙは、表示電極１１ｆ，１１ｇ，１１ｏ間を延び、その他端が、表示電極１１ｇに隣接して形成された背景電極１２ｔに接続されている。背景電極１２ｓの背景電極用配線１４ｖ，１４ｙとの接続部分とは異なる頂点には背景電極用配線１４ｚの一端が接続されており、背景電極用配線１４ｚは、表示電極１１ｇ，１１ｈ，１１ｐ間を延び、その他端が、表示電極１１ｇに隣接して形成された背景電極１２ｕに接続されている。これにより、表示電極１１ｇは、背景電極１２ｓ〜１２ｕによって取り囲まれたような状態となっている。背景電極用配線１５ａｖは、表示電極１１ｉ，１１ｐ間を延び、その他端が、表示電極１１ｈ，１１ｉ，１１ｐ間に形成された三角形状を有する背景電極１２ｖの１つの頂点に接続されている。これにより、表示電極１１ｐは、背景電極１２ｓ，１２ｖによって取り囲まれたような状態となっており、また、表示電極１１ｉは、背景電極１２ｂ，１２ｖによって取り囲まれたような状態となっている。背景電極１２ｖの背景電極用配線１５ａとの接続部分とは異なる頂点には背景電極用配線１５ｃの一端が接続されており、背景電極用配線１５ｃは、表示電極１１ｇ，１１ｈ，１１ｐ間を延び、その他端が、表示電極１１ｈに隣接して形成された背景電極１２ｗに接続されている。背景電極１２ｖの背景電極用配線１５ａ，１５ｃとの接続部分とは異なる頂点には背景電極用配線１５ｂの一端が接続されており、背景電極用配線１５ｂは、表示電極１１ａ，１１ｈ，１１ｉ間を延び、その他端が、表示電極１１ｈに隣接して形成された背景電極１２ｘに接続されている。これにより、表示電極１１ｈは、背景電極１２ｖ〜１２ｘによって取り囲まれたような状態となっている。
【００２５】
このようにして、背景電極用配線１４ａ〜１４ｚ，１５ａ〜１５ｃは、表示電極１１ａ〜１１ｐ及び背景電極１２ａ〜１２ｘによって情報表示装置にて情報が表示される表示領域の外側から中央部分に一旦入り込むようにして延び、その後、中央部分から分岐して背景電極１２ａ〜１２ｘに向かって延びるように形成されている。
【００２６】
一方、表示電極用配線１３ａ〜１３ｐは、上述したように、表示電極１１ａ〜１１ｐによる表示領域の外側から表示電極１１ａ〜１１ｐに向かって延び、その他端が表示電極１１ａ〜１１ｐにそれぞれ接続されているため、表示電極１１ａ〜１１ｐや背景電極１２ａ〜１２ｘに挟まれた領域にも形成されており、その領域においては、例えば２５〜４５μｍの幅となっている。また、表示電極用配線１３ａ〜１３ｐを挟む背景電極１２ａ，１２ｃ，１２ｅ，１２ｆ，１２ｈ，１２ｉ，１２ｋ，１２ｌ，１２ｎ，１２ｏ，１２ｑ，１２ｒ，１２ｔ，１２ｕ，１２ｗ，１２ｘの間隔１８は、例えば３０〜５０μｍの一定のものとなっている。
【００２７】
このような構成であることにより、背景電極用配線１４ａ〜１４ｚ，１５ａ〜１５ｃは、背景電極用配線１４ａ〜１４ｚ，１５ａ〜１５ｃに接続された背景電極１２ａ〜１２ｘが取り囲む表示電極１１ａ〜１１ｐに接続された表示電極用配線１３ａ〜１３ｐが表示電極１１ａ〜１１ｐに向かってくる方向とは反対方向から背景電極１２ａ〜１２ｘに向かって形成されていることになる。例えば、背景電極１２ｃにおいては、背景電極１２ｃに電位を印加するための背景電極用配線１４ｃが、図１（ａ）中左上側から背景電極１２ｃに向かって形成されている一方、この背景電極１２ｃと背景電極１２ａ，１２ｂとによって囲まれた表示電極１１ａに電位を印加するための表示電極用配線１３ａは、図１（ａ）中右下側から表示電極１１ａに向かって形成されている。また、例えば、背景電極１２ｐにおいては、背景電極１２ｐに電位を印加するための背景電極用配線１４ｔが、図１（ａ）中下側から背景電極１２ｐに向かって形成されている一方、この背景電極１２ｐと背景電極１２ｍや背景電極１２ｑや背景電極１２ｒや背景電極１２ｓとによって囲まれた表示電極１１ｆ，１１ｎ，１１ｏのそれぞれに電位を印加するための表示電極用配線１３ｆ，１３ｎ，１３ｏは、図１（ａ）中下側から表示電極１１ｆ，１１ｎ，１１ｏに向かって形成されている。なお、表示電極１１ａ及び表示電極用配線１３ａと背景電極１２ａ及び背景電極用配線１４ａとの関係においては、表示領域の外側から背景電極１２ａ〜１２ｘに印加する電位を導いてくる必要があるため、上述したようなものとはなっていないが、その他のものにおいては、背景電極用配線１４ｂ〜１４ｚ，１５ａ〜１５ｃが、背景電極用配線１４ｂ〜１４ｚ，１５ａ〜１５ｃに接続された背景電極１２ｂ〜１２ｘが取り囲む表示電極１１ａ〜１１ｐに接続された表示電極用配線１３ａ〜１３ｐが表示電極１１ａ〜１１ｐに向かってくる方向とは反対方向から背景電極１２ｂ〜１２ｘに向かって形成されている。
【００２８】
なお、上述したように、背景電極１２ａ〜１２ｘが、背景電極用配線１４ａ〜１４ｚ，１５ａ〜１５ｃを介してひとつなぎに接続されていることが最も好ましいが、本願発明はそれに限らず、１つの表示電極に対し、それを取り囲む背景電極の全てが１つの背景電極用配線から枝分かれしていればよく、２つの背景電極用配線のそれぞれから複数の背景電極が枝分かれするように構成してもよい。
【００２９】
上記のように構成された配線電極基板１は、絶縁層２０に印刷を施すことによって、表示電極１１ａ〜１１ｐ、背景電極１２ａ〜１２ｘ、表示電極用配線１３ａ〜１３ｐ及び背景電極用配線１４ａ〜１４ｚ，１５ａ〜１５ｃを形成することができる。例えば、ＰＥＴ等のベース基板上に、銀ペースト等の導電インキを用いてスクリーン印刷によって形成することが考えられる。このようにスクリーン印刷によって表示電極１１ａ〜１１ｐ、背景電極１２ａ〜１２ｘ、表示電極用配線１３ａ〜１３ｐ及び背景電極用配線１４ａ〜１４ｚ，１５ａ〜１５ｃを形成する場合、表示電極用配線１３ａ〜１３ｐ及び背景電極用配線１４ａ〜１４ｚ，１５ａ〜１５ｃの幅が十分に狭いことから、表示電極１１ａ〜１１ｐ及び背景電極１２ａ〜１２ｘが形成される領域と、表示電極用配線１３ａ〜１３ｐ及び背景電極用配線１４ａ〜１４ｚ，１５ａ〜１５ｃが形成される領域とで、塗布する導電インキの塗布量を異ならせる制御を行わなくても、表示電極用配線１３ａ〜１３ｐ及び背景電極用配線１４ａ〜１４ｚ，１５ａ〜１５ｃにおける形成高さを、表示電極１１ａ〜１１ｐ及び背景電極１２ａ〜１２ｘの高さよりも低くすることができる。
【００３０】
以下に、上述した配線電極基板１を用いた情報表示装置について説明する。
【００３１】
まず、上述した配線電極基板１を用いた情報表示装置の構成について説明する。
【００３２】
図２は、図１に示した配線電極基板１を用いた情報表示装置の構成例を示す断面図である。
【００３３】
本形態における情報表示装置２は図２に示すように、図１に示した配線電極基板１の表示電極１１ａ〜１１ｐ、背景電極１２ａ〜１２ｘ、表示電極用配線１３ａ〜１３ｐ及び背景電極用配線１４ａ〜１４ｚ，１５ａ〜１５ｃが形成された面に、情報表示手段である情報表示層４０と、透明導電膜基板３０とが積層されて構成されている。透明導電膜基板３０は、ガラス等からなる透明基板３１の一方の面に透明電極（例えば、ＩＴＯ）３２が形成されて構成されている。また、情報表示層４０は、隔壁４１で囲まれた領域に、帯電性粒子４３が分散した隔壁内液体４２が収容されて構成されている。そして、これら配線電極基板１、情報表示層４０及び透明導電膜基板３０は、透明電極３２と表示電極１１ａ〜１１ｐ及び背景電極１２ａ〜１２ｘとが、隔壁４１で囲まれた領域に収容された隔壁内液体４２を介して対向するように配置、積層され、配線電極基板１と情報表示層４０とが、導電性粘着テープ５０によって接着されている。この際、表示電極用配線１３ａ〜１３ｐを挟む背景電極１２ａ，１２ｃ，１２ｅ，１２ｆ，１２ｈ，１２ｉ，１２ｋ，１２ｌ，１２ｎ，１２ｏ，１２ｑ，１２ｒ，１２ｔ，１２ｕ，１２ｗ，１２ｘの間隔１８が、例えば３０〜５０μｍのように狭いものとなっていることにより、導電性粘着テープ５０が柔軟性を有するものであっても、表示電極１１ａ〜１１ｐ及び背景電極１２ａ〜１２ｘと、表示電極用配線１３ａ〜１３ｐ及び背景電極用配線１４ａ〜１４ｚ，１５ａ〜１５ｃとの高さの差が確保される。
【００３４】
次に、上記のように構成された情報表示装置の動作について説明する。
【００３５】
図３は、図２に示した情報表示装置２の動作を説明するための図であり、（ａ）は全体の表示状態を示す図、（ｂ）は表示電極１１ｆ及び配線電極１２ｑ，１２ｒ近傍の拡大図である。また、図４は、図２に示した情報表示層４０における帯電性粒子４３の移動を示す図である。
【００３６】
上記のように構成された情報表示装置２においては、例えば、透明電極３２がＧＮＤ電位とされ、表示電極１１ａ〜１１ｃ，１１ｆ〜１１ｈ，１１ｋ，１１ｏにプラス電位が印加され、その他の表示電極１１ｄ，１１ｅ，１１ｉ，１１ｊ，１１ｌ〜１１ｎ，１１ｐ及び背景電極１２ａ〜１２ｘにマイナス電位が印加されると、隔壁４１で囲まれた領域に収容された隔壁内液体４２が誘電性物質からなり、帯電性粒子４３がマイナス電位に帯電しているものであることから、帯電性粒子４３が隔壁内液体４２内をクーロン力で移動し、プラス電位が印加された表示電極１１ａ〜１１ｃ，１１ｆ〜１１ｈ，１１ｋ，１１ｏに対向する領域においては、帯電性粒子４３が配線電極基板１０側に引き寄せられていき、マイナス電位が印加された表示電極１１ｄ，１１ｅ，１１ｉ，１１ｊ，１１ｌ〜１１ｎ，１１ｐ及び背景電極１２ａ〜１２ｘに対向する領域においては帯電性粒子４３が透明電極３２側に引き寄せられていく。
【００３７】
そして、隔壁内液体４２が染料または顔料で着色されており、帯電性粒子４３が高屈折率の光散乱成分を含むため、配線電極基板１０側に帯電性粒子４３が引き寄せられた領域が着色された状態となり、また、透明電極３２側に帯電性粒子４３が引き寄せられた領域が白色となる。それにより、図３（ａ）に示すように、白色からなる背景部４に、配線電極基板１０側に帯電性粒子４３が引き寄せられた領域が黒発色部３ａとなり、透明電極３２側に帯電性粒子４３が引き寄せられた領域が白発色部３ｂとなったアルファベット“Ｂ”が表示されることになる。
【００３８】
ここで、上述したような情報表示装置２においては、表示電極１１ａ〜１１ｐや背景電極１２ａ〜１２ｘに電位が印加された場合、情報表示層４０のうちその表示電極１１ａ〜１１ｐや背景電極１２ａ〜１２ｘに対向する領域が、印加された電位に応じて表示電極１１ａ〜１１ｐや背景電極１２ａ〜１２ｘと透明電極３２との間に生じた電位差によって帯電性粒子４３が隔壁内液体４２内を移動して着色された状態あるいは白色に見えることになるが、実際には、図４（ａ）に示すように、情報表示層４０の表示電極１１ａ〜１１ｐや背景電極１２ａ〜１２ｘに対向する領域の外周に沿う領域においても、一定の幅において、その表示電極１１ａ〜１１ｐや背景電極１２ａ〜１２ｘに印加された電位の影響を受け、表示電極１１ａ〜１１ｐや背景電極１２ａ〜１２ｘに印加された電位に応じて電位差が生じて帯電性粒子４３が隔壁内液体４２内を移動し、図３（ｂ）に示すように、表示電極１１ａ〜１１ｐや背景電極１２ａ〜１２ｘに対向する領域と同一の色に見えるにじみ領域が生じる。
【００３９】
本形態においては、表示電極１１ａ〜１１ｐ及び背景電極１２ａ〜１２ｘ間には、表示電極用配線１３ａ〜１３ｐや背景電極用配線１４ａ〜１４ｚ，１５ａ〜１５ｃが形成されている領域が存在する。そのため、例えば図４（ｂ）に示すように、背景電極１２ｑ，１２ｒにマイナスの電位が印加された場合でも、背景電極１２ｑ，１２ｒ間に形成された表示電極用配線１３ｆに対して、表示電極１１ｆにプラスの電位を印加するためにプラスの電位が印加されていると、表示電極用配線１３ｆに対向する領域だけ、帯電性粒子４３が配線電極基板１０側に引き寄せられ、着色された状態に見えてしまう。
【００４０】
ところが、表示電極１１ａ〜１１ｐ及び背景電極１２ａ〜１２ｘ間の間隔は、上述したにじみ領域が生じるために十分狭い間隔となっているとともに、表示電極用配線１３ａ〜１３ｐ及び背景電極用配線１４ａ〜１４ｚ，１５ａ〜１５ｃの高さが、表示電極１１ａ〜１１ｐ及び背景電極１２ａ〜１２ｘよりも低くなっているため、電位の印加を解除すると、表示電極１１ａ〜１１ｐ及び背景電極１２ａ〜１２ｘ間においても、これら表示電極１１ａ〜１１ｐ及び背景電極１２ａ〜１２ｘに印加されていた電位の影響を受け、例えば図４（ｃ）に示すように、背景電極１２ｑ，１２ｒにマイナスの電位が印加されていた場合において、背景電極１２ｑ，１２ｒ間に形成された表示電極用配線１３ｆに対して、表示電極１１ｆにプラスの電位を印加するためにプラスの電位が印加されていても、表示電極用配線１３ｆに対向する領域においても、背景電極１２ｑ，１２ｒに印加されていたマイナスの電位の影響を受け、帯電性粒子４３が透明導電膜基板３０側に引き寄せられ、背景電極１２ｑ，１２ｒに対向する領域と同一の白色に見えることになる。
【００４１】
その結果、情報表示装置２を透明導電膜基板３０側から視認した場合、表示電極用配線１３ａ〜１３ｐ及び背景電極用配線１４ａ〜１４ｚ，１５ａ〜１５ｃに対向する領域にて、その周囲とは反対となる色や中間色が視認されることがなく、また、中間色が発色したとしても非常に狭い領域であるために視認できず、きれいな黒白のコントラスト差から明確な境界線を形成し、アルファベット文字“Ｂ”を視認性よく表示することができる。
【００４２】
本形態においては、表示電極用配線１３ａ〜１３ｐが表示電極１１ａ〜１１ｐに向かってくる方向と、背景電極用配線１４ａ〜１４ｚ，１５ａ〜１５ｃが背景電極１２ａ〜１２ｘに向かってくる方向とが、表示電極１１ａ〜１１ｐとそれを取り囲む背景電極１２ａ〜１２ｘとにおいて互いに反対方向となるように構成されていることにより、表示電極用配線１３ａ〜１３ｐと背景電極用配線１４ａ〜１４ｚ，１５ａ〜１５ｃとが交差せずに形成され、多層基板を採用してスルーホールを形成したりレジスト層を塗布したりする必要がない。そのため、細かな位置合わせが必要となる隠蔽層を設ける等の別加工を施すことなく、絶縁層上に、表示電極１１ａ〜１１ｐ、背景電極１２ａ〜１２ｘ、表示電極用配線１３ａ〜１３ｐ及び背景電極用配線１４ａ〜１４ｚ，１５ａ〜１５ｃを一度に形成することにより、低コストで視認性を向上させることができる。
【００４３】
また、背景電極１２ａ〜１２ｘが、背景電極用配線１４ａ〜１４ｚ，１５ａ〜１５ｃを介してひとつなぎに接続されているため、背景電極用配線１４ａ〜１４ｚ，１５ａ〜１５ｃを介して背景電極１２ａ〜１２ｘに電位を印加した場合、背景電極１２ａ〜１２ｘに電位が一度に印加されて電位に応じた色表示ができる。それにより、背景電極１２ａ〜１２ｘのそれぞれを個別の背景電極用配線で接続する必要がなく、配線数を大幅に削減することができる。
【符号の説明】
【００４４】
１    配線電極基板
２    情報表示装置
３ａ    黒発色部
３ｂ    白発色部
４    背景部
１１ａ〜１１ｐ    表示電極
１２ａ〜１２ｘ    背景電極
１３ａ〜１３ｐ    表示電極用配線
１４ａ〜１４ｚ，１５ａ〜１５ｃ    背景電極用配線
１６〜１８    間隔
２０    絶縁層
３０    透明導電膜基板
３１    透明基板
３２    透明電極
４０    情報表示層
４１    隔壁
４２    隔壁内液体
４３    帯電性粒子
５０    導電性粘着テープ
【図１】
2014170102.tif 000003
【図２】
2014170102.tif 000004
【図３】
2014170102.tif 000005
【図４】
2014170102.tif 000006